(57)【要約】【課題】適宜な量の情報を効率的に記録ないし伝達する一方で、配布者および被配布者の両方での簡便・確実な名刺管理を可能とする。【解決手段】折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える折畳み名刺１００を構成する。【選択図】図１
0003116164.tif 000002
【実用新案登録請求の範囲】
【請求項１】
折り目を介した紙片の折り畳みにより当該紙片において区画される大領域および小領域と、前記大領域における前記折り目からの距離が、前記小領域の端部から前記折り目までの長さより短い距離に設けられ、前記折り目に向かって凸形状をなす切込みと、を備えることを特徴とする折畳み名刺。
【請求項２】
請求項１において、
前記小領域の前記端部を前記大領域の前記切込みに差し込むことで、前記小領域が前記大領域上でＲ形状をもって隆起してなることを特徴とする折畳み名刺。
【請求項３】
請求項２において、
前記小領域におけるＲ部位の頂部周辺に印字領域を設けてなることを特徴とする折畳み名刺。
【請求項４】
請求項２または３において、
前記大領域において、前記切込みから端部までの間に印字領域を設けてなることを特徴とする折畳み名刺。
【請求項５】
請求項２〜４のいずれかにおいて、
前記大領域において、前記切込みから前記折り目までの間にメモ用領域を設けてなることを特徴とする折畳み名刺。
【請求項６】
請求項５において、
前記小領域において、前記折り目に沿った所定幅の開口部を、前記メモ用領域の一部と重複すべく設けてなることを特徴とする折畳み名刺。
【請求項７】
請求項１〜６のいずれかにおいて、
前記大領域において、前記切込みから前記折り目までの間に、貼り替え可能な付箋紙を取り付けてなることを特徴とする折畳み名刺。
【請求項８】
請求項１〜７のいずれかにおいて、
前記大領域において、前記切込みから前記折り目までの間に、複写紙を取り付けてなることを特徴とする折畳み名刺。
【請求項９】
請求項１〜８のいずれかにおいて、
前記大領域において、前記切込みから前記折り目までの間に、第２の切込みを設けてなることを特徴とする折畳み名刺。
【考案の詳細な説明】
【技術分野】  本考案は、折畳み名刺に関する。
【背景技術】  例えば、折畳名刺又はカタログに係り、其の目的とする所は、自己紹介を行なうと同時に自己の所属する会社、団体等の職域の紹介、案内、宣伝等を兼ねた商取引上有効な此の種名刺又はカタログを提供するとの目的の下、適当な厚みの一枚の原紙に、複列等分の複数の名刺部分及び宣伝部分（Ａ）（Ｂ）（Ｃ）．．．．（Ｈ）を設け、夫々部分の折目（２）−（６）に沿って等分に折分けると供に、其の両端宣伝部分（Ａ）（Ｅ）及び（Ｄ）（Ｈ）を除く部分の上下折目線上に切り欠き（３）を設けて前記折目に沿って矢印（ｆ）（ｆ１）（ｆ２）（ｆ３）方向に折畳み、名刺部分（Ｆ）を表面に折出した事を特徴とする折畳名刺（特許文献１参照）などが提案されている。
【特許文献１】登録実用新案３０１１７５２号公報
【考案の開示】
【考案が解決しようとする課題】  従来の名刺または折畳み式の名刺は、いたずらにその情報記載量を増大させることに着眼点をおいたものが多く、名刺配布者の側から見た保管や配布のしやすさ、或いは被配布者の側から見たその後の管理や利用のしやすさといった、ユーザフレンドリーな技術について追求したものが提案されていなかった。したがって、適宜な量の情報を効率的に記録ないし伝達する一方で、配布者および被配布者の両方での簡便・確実な名刺管理を可能とする技術が求められていた。
そこで本考案は上記課題を鑑みてなされたものであり、適宜な量の情報を効率的に記録ないし伝達する一方で、配布者および被配布者の両方での簡便・確実な名刺管理を可能とする、折畳み名刺を提供することを主たる目的とする。
【課題を解決するための手段】  上記課題を解決する本考案の折畳み名刺は、折り目を介した紙片の折り畳みにより当該紙片において区画される大領域および小領域と、前記大領域における前記折り目からの距離が、前記小領域の端部から前記折り目までの長さより短い距離に設けられ、前記折り目に向かって凸形状をなす切込みと、を備えることを特徴とする。
また、本発明の折畳み名刺は、前記小領域の前記端部を前記大領域の前記切込みに差し込むことで、前記小領域が前記大領域上でＲ形状をもって隆起してなるとしてもよい。
また、本発明の折畳み名刺は、前記小領域におけるＲ部位の頂部周辺に印字領域を設けてなるとしてもよい。
また、本発明の折畳み名刺は、前記大領域において、前記切込みから端部までの間に印字領域を設けてなるとしてもよい。
また、本発明の折畳み名刺は、前記大領域において、前記切込みから前記折り目までの間にメモ用領域を設けてなるとしてもよい。
また、本発明の折畳み名刺は、前記小領域において、前記折り目に沿った所定幅の開口部を、前記メモ用領域の一部と重複すべく設けてなるとしてもよい。
また、本発明の折畳み名刺は、前記大領域において、前記切込みから前記折り目までの間に、貼り替え可能な付箋紙を取り付けてなるとしてもよい。
また、本発明の折畳み名刺は、前記大領域において、前記切込みから前記折り目までの間に、複写紙を取り付けてなるとしてもよい。
また、本発明の折畳み名刺は、前記大領域において、前記切込みから前記折り目までの間に、第２の切込みを設けてなるとしてもよい。
その他、本願が開示する課題、及びその解決方法は、考案の実施の形態の欄、及び図面により明らかにされる。
【考案の効果】  本考案によれば、適宜な量の情報を効率的に記録ないし伝達する一方で、配布者および被配布者の両方での簡便・確実な名刺管理が可能となる。
【考案を実施するための最良の形態】−−−実施例１−−−
以下に本考案の実施形態について図面を用いて詳細に説明する。図１は本実施形態の折畳み名刺の構造例１を示す図である。本実施形態における折畳み名刺１００は、紙、合成樹脂等の曲げ可能な各種名刺用素材を用いて製造されるものであり、図１に示すように、折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える。
また前記折畳み名刺１００は、図１（ａ）〜（ｃ）に示すように前記小領域１２０の前記端部１２１を前記大領域１１０の前記切込み１１５に差し込むことで、前記小領域１２０が前記大領域１１０上でＲ形状をもって隆起する形態を現す。この小領域１２０におけるＲ部位１２５の頂部１２６の周辺、例えば、前記頂部１２６より前記切込み１１５方向に前記Ｒ部位１２５を所定距離下った位置に印字領域１５０を設ける。この印字領域１５０には、例えば前記大領域１１０の端部１１１と前記切込み１１５との間に印字する印字内容１４０（例：会社名など）に加えて、名刺配布者の情報を更に説明する印字内容（例：会社内での所属、肩書き、氏名、連絡先など）を印字することが想定できる。勿論、折畳み名刺１００の使用目的や使用者の属性等に応じて任意にこれらの印字内容を変更してよい。
こうした折畳み名刺１００は、当該折畳み名刺１００を配布する配布者が、前記折り目１０１を中心にして折り畳んだ状態（この場合、前記小領域１２０の端部１２１を切込み１１５に差し込んでいない）で、被配布者に配布されることを想定できる。この折り畳まれた折畳み名刺１００を受け取った被配布者は、前記小領域１２０の端部１２１を切込み１１５に差し込んで、前記小領域１２０をＲ形状に隆起させ、机上などの適宜な位置に配置し適宜利用する。こうすることで、被配布者はこの折畳み名刺１００の配布者の名刺を、旧来の一般の名刺とは異なる特別な名刺として視界の中に入れやすくなる。しかも、前記小領域１２０のＲ部位１２５に前記印字領域１５０が備わっていることで、前記配布者の氏名、名称等の平面的な印字があたかも立体的に表現されているような訴求効果を奏しやすい。
或いは、前記折畳み名刺１００を配布する配布者が、前記折り目１０１を中心にして折り畳んだ状態で、なおかつ、前記小領域１２０の端部１２１を切込み１１５に差し込んだ状態の折畳み名刺１００を、被配布者に配布することを想定してもよい。この場合、当該状態の折畳み名刺１００を受け取った被配布者は、前記小領域１２０の端部１２１が切込み１１５に差し込まれ、前記小領域１２０が最初からＲ形状に隆起している折畳み名刺１００を、机上などの適宜な位置に配置し適宜利用する。
−−−実施例２−−−
次に、折畳み名刺１００の他の実施形態について説明する。図２は、本実施形態の折畳み名刺の構造例２を示す図である。この実施形態における折畳み名刺１００も、図２に示すように、折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える。
また前記折畳み名刺１００は、図２（ａ）〜（ｃ）に示すように前記小領域１２０の前記端部１２１を前記大領域１１０の前記切込み１１５に差し込むことで、前記小領域１２０が前記大領域１１０上でＲ形状をもって隆起する形態を現す。この小領域１２０におけるＲ部位１２５の頂部１２６の周辺、例えば、前記頂部１２６より前記切込み１１５方向に前記Ｒ部位１２５を所定距離下った位置に印字領域１５０を設ける。この印字領域１５０には、例えば前記大領域１１０の端部１１１と前記切込み１１５との間に印字する印字内容１４０（例：会社名など）に加えて、名刺配布者の情報を更に説明する印字内容（例：会社内での所属、肩書き、氏名、連絡先など）を印字することが想定できる。勿論、折畳み名刺１００の使用目的や使用者の属性等に応じて任意にこれらの印字内容を変更してよい。
また、この実施形態における折畳み名刺１００は、前記大領域１１０において、前記切込み１１５から端部１１１までの間に印字領域またはメモ用領域（両領域ともに領域１６０と称する）を備えている。この領域１６０に印字またはメモされる内容としては、例えば、折畳み名刺１００の配布者が被配布者に留意してもらいたい業務上のメッセージなどがあげられる。
こうした領域１６０を備えた折畳み名刺１００は、更に、開口部１２７を備えるとすれば好適である。この開口部１２７は、前記小領域１２０において、前記折り目１０１に沿って所定幅で設けられるものであり、前記領域１６０の一部と重複すべく設けられる。この重複する領域としては、前記領域１６０のうち最上段に位置するメッセージのタイトル１６１などが想定できる。こうしたタイトル１６１は、小領域１２０の端部１２１を大領域１１０の切込み１１５に差込んだ状態の折畳み名刺であっても、前記開口部１２７を通じて外方から視認できる。
こうした折畳み名刺１００は、当該折畳み名刺１００を配布する配布者が、前記折り目１０１を中心にして折り畳んだ状態（この場合、前記小領域１２０の端部１２１を切込み１１５に差し込んでいない）で、被配布者に配布されることを想定できる。この折り畳まれた折畳み名刺１００を受け取った被配布者は、前記小領域１２０の端部１２１を切込み１１５に差し込んで、前記小領域１２０をＲ形状に隆起させ、前記タイトル１６１等を開口部１２７から視認できる状態で机上などの適宜な位置に配置し適宜利用する。こうすることで、被配布者はこの折畳み名刺１００の配布者の名刺を、旧来の一般の名刺とは異なる特別な名刺として視界の中に入れやすくなる。しかも、前記小領域１２０のＲ部位１２５に前記印字領域１５０が備わっていることで、前記配布者の氏名、名称等の平面的な印字があたかも立体的に表現されているような訴求効果を奏しやすい。また、前記被配布者は前記開口部１２７から領域１６０の内容の一部を視認でき、配布者からのメッセージ内容を後々も確認しやすい。
−−−実施例３−−−
次に他の実施形態について説明する。図３は、本実施形態の折畳み名刺の構造例３を示す図である。この実施形態における折畳み名刺１００は、前記大領域１１０において、前記切込み１１５から前記折り目１０１までの間に、貼り替え可能な付箋紙１６５を取り付けている形態を想定する。この実施形態における折畳み名刺１００も、図３に示すように、折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える。
また前記折畳み名刺１００は、図３（ａ）〜（ｃ）に示すように前記小領域１２０の前記端部１２１を前記大領域１１０の前記切込み１１５に差し込むことで、前記小領域１２０が前記大領域１１０上でＲ形状をもって隆起する形態を現す。この小領域１２０におけるＲ部位１２５の頂部１２６の周辺、例えば、前記頂部１２６より前記切込み１１５方向に前記Ｒ部位１２５を所定距離下った位置に印字領域１５０を設ける。この印字領域１５０には、例えば前記大領域１１０の端部１１１と前記切込み１１５との間に印字する印字内容１４０（例：会社名など）に加えて、名刺配布者の情報を更に説明する印字内容（例：会社内での所属、肩書き、氏名、連絡先など）を印字することが想定できる。勿論、折畳み名刺１００の使用目的や使用者の属性等に応じて任意にこれらの印字内容を変更してよい。
また、この実施形態における折畳み名刺１００は、上述したように、前記切込み１１５から前記折り目１０１までの間に、貼り替え可能な付箋紙１６５が取り付けられている。この付箋紙１６５に印字またはメモされる内容としては、例えば、折畳み名刺１００の配布者が被配布者に留意してもらいたい業務上のメッセージなどがあげられる。
こうした付箋紙１６５が取付けられた折畳み名刺１００は、更に、開口部１２７を備えるとすれば好適である。この開口部１２７は、前記小領域１２０において、前記折り目１０１に沿って所定幅で設けられるものであり、前記付箋紙１６５が大領域１１０で占める領域の一部と重複すべく設けられる。この重複する領域としては、前記付箋紙１６５のうち最上段に位置するメッセージのタイトル１６６などが想定できる。こうしたタイトル１６６は、小領域１２０の端部１２１を大領域１１０の切込み１１５に差込んだ状態の折畳み名刺であっても、前記開口部１２７を通じて外方から視認できる。
こうした折畳み名刺１００は、当該折畳み名刺１００を配布する配布者が、前記折り目１０１を中心にして折り畳んだ状態（この場合、前記小領域１２０の端部１２１を切込み１１５に差し込んでいない）で、被配布者に配布されることを想定できる。この折り畳まれた折畳み名刺１００を受け取った被配布者は、前記小領域１２０の端部１２１を切込み１１５に差し込んで、前記小領域１２０をＲ形状に隆起させ、前記タイトル１６６等を開口部１２７から視認できる状態で机上などの適宜な位置に配置し適宜利用する。こうすることで、被配布者はこの折畳み名刺１００の配布者の名刺を、旧来の一般の名刺とは異なる特別な名刺として視界の中に入れやすくなる。しかも、前記小領域１２０のＲ部位１２５に前記印字領域１５０が備わっていることで、前記配布者の氏名、名称等の平面的な印字があたかも立体的に表現されているような訴求効果を奏しやすい。また、前記被配布者は前記開口部１２７から付箋紙１６５の内容の一部を視認でき、配布者からのメッセージ内容を後々も確認しやすい。更に、この付箋紙１６５を折畳み名刺１００より簡単に分離させて、例えば被配布者のスケジュール帳など適宜な貼付対象に再貼付することが可能である。つまり、配布者からのメッセージ内容の利用をよりしやすくし、被配布者の利便性に大いに配慮した形態の名刺であると言える。
−−−実施例４−−−
次に他の実施形態について説明する。図４は、本実施形態の折畳み名刺の構造例４を示す図である。この実施形態における折畳み名刺１００は、前記大領域１１０において、前記切込み１１５から前記折り目１０１までの間に、複写紙１７０を取り付けている形態を想定する。
この実施形態における折畳み名刺１００も、図４に示すように、折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える。
また前記折畳み名刺１００は、図４（ａ）〜（ｃ）に示すように前記小領域１２０の前記端部１２１を前記大領域１１０の前記切込み１１５に差し込むことで、前記小領域１２０が前記大領域１１０上でＲ形状をもって隆起する形態を現す。この小領域１２０におけるＲ部位１２５の頂部１２６の周辺、例えば、前記頂部１２６より前記切込み１１５方向に前記Ｒ部位１２５を所定距離下った位置に印字領域１５０を設ける。この印字領域１５０には、例えば前記大領域１１０の端部１１１と前記切込み１１５との間に印字する印字内容１４０（例：会社名など）に加えて、名刺配布者の情報を更に説明する印字内容（例：会社内での所属、肩書き、氏名、連絡先など）を印字することが想定できる。勿論、折畳み名刺１００の使用目的や使用者の属性等に応じて任意にこれらの印字内容を変更してよい。
また、この実施形態における折畳み名刺１００は、上述したように、前記切込み１１５から前記折り目１０１までの間に、いわゆるカーボン紙、或いはノンカーボン紙といった複写紙１７０が取り付けられている。この複写紙１７０に印字またはメモされる内容としては、例えば、折畳み名刺１００の配布者が被配布者に留意してもらいたい業務上のメッセージなどがあげられる。
こうした複写紙１７０が取付けられた折畳み名刺１００は、更に、開口部１２７を備えるとすれば好適である。この開口部１２７は、前記小領域１２０において、前記折り目１０１に沿って所定幅で設けられるものであり、前記複写紙１７０が大領域１１０で占める領域の一部と重複すべく設けられる。この重複する領域としては、前記複写紙１７０のうち最上段に位置するメッセージのタイトル１７６などが想定できる。こうしたタイトル１７６は、小領域１２０の端部１２１を大領域１１０の切込み１１５に差込んだ状態の折畳み名刺であっても、前記開口部１２７を通じて外方から視認できる。
こうした折畳み名刺１００は、当該折畳み名刺１００を配布する配布者が、前記折り目１０１を中心にして折り畳んだ状態（この場合、前記小領域１２０の端部１２１を切込み１１５に差し込んでいない）で、被配布者に配布されることを想定できる。この折り畳まれた折畳み名刺１００を受け取った被配布者は、前記小領域１２０の端部１２１を切込み１１５に差し込んで、前記小領域１２０をＲ形状に隆起させ、前記タイトル１７６等を開口部１２７から視認できる状態で机上などの適宜な位置に配置し適宜利用する。こうすることで、被配布者はこの折畳み名刺１００の配布者の名刺を、旧来の一般の名刺とは異なる特別な名刺として視界の中に入れやすくなる。しかも、前記小領域１２０のＲ部位１２５に前記印字領域１５０が備わっていることで、前記配布者の氏名、名称等の平面的な印字があたかも立体的に表現されているような訴求効果を奏しやすい。また、前記被配布者は前記開口部１２７から複写紙１７０の内容の一部を視認でき、配布者からのメッセージ内容を後々も確認しやすい。更に、この複写紙１７０の上紙１７１を折畳み名刺１００より簡単に分離させて、例えば被配布者のスケジュール帳など適宜な貼付対象に再貼付することが可能である。また、配布者からのメッセージ内容が複写された下紙１７５はそのまま折畳み名刺１００に貼り付いたままとなって、被配布者が後々も参照可能である。つまり、配布者からのメッセージ内容の利用をよりしやすくし、被配布者の利便性に大いに配慮した形態の名刺であると言える。
−−−実施例５−−−
次に他の実施形態について説明する。図５は、本実施形態の折畳み名刺の構造例５を示す図である。この実施形態における折畳み名刺１００は、前記大領域１１０において、前記切込み１１５から前記折り目１０１までの間に、第２の切込み１９０を設けている形態を想定する。
この実施形態における折畳み名刺１００も、図５に示すように、折り目１０１を介した紙片１０２の折り畳みにより当該紙片１０２において区画される大領域１１０および小領域１２０と、前記大領域１１０における前記折り目１０１からの距離１０３が、前記小領域１２０の端部１２１から前記折り目１０１までの長さ１２２より短い距離に設けられ、前記折り目１０１に向かって凸形状をなす切込み１１５と、を備える。
また前記折畳み名刺１００は、図５（ａ）〜（ｃ）に示すように前記小領域１２０の前記端部１２１を前記大領域１１０の前記切込み１１５に差し込むことで、前記小領域１２０が前記大領域１１０上でＲ形状をもって隆起する形態を現す。この小領域１２０におけるＲ部位１２５の頂部１２６の周辺、例えば、前記頂部１２６より前記切込み１１５方向に前記Ｒ部位１２５を所定距離下った位置に印字領域１５０を設ける。この印字領域１５０には、例えば前記大領域１１０の端部１１１と前記切込み１１５との間に印字する印字内容１４０（例：会社名など）に加えて、名刺配布者の情報を更に説明する印字内容（例：会社内での所属、肩書き、氏名、連絡先など）を印字することが想定できる。勿論、折畳み名刺１００の使用目的や使用者の属性等に応じて任意にこれらの印字内容を変更してよい。
また、この実施形態における折畳み名刺１００は、上述したように、前記大領域１１０において、前記切込み１１５から前記折り目１０１までの間に、第２の切込み１９０が設けられている。この第２の切込み１９０は、例えば、前記付箋紙１６５や複写紙１７０などの各種メッセージカードやその他書類を留め置くための係止手段となる。
こうした折畳み名刺１００は、当該折畳み名刺１００を配布する配布者が、前記折り目１０１を中心にして折り畳んだ状態（この場合、前記小領域１２０の端部１２１を切込み１１５に差し込んでいない）で、なおかつ、前記第２の切込み１９０にメッセージカードやその他書類が係止された状態で被配布者に配布されることを想定できる。この折り畳まれた折畳み名刺１００を受け取った被配布者は、前記メッセージカードやその他書類を閲覧する一方で、前記小領域１２０の端部１２１を切込み１１５に差し込んで、前記小領域１２０をＲ形状に隆起させた状態で机上などの適宜な位置に配置し適宜利用する。
こうすることで、被配布者はこの折畳み名刺１００の配布者の名刺を、旧来の一般の名刺とは異なる特別な名刺として視界の中に入れやすくなる。しかも、前記小領域１２０のＲ部位１２５に前記印字領域１５０が備わっていることで、前記配布者の氏名、名称等の平面的な印字があたかも立体的に表現されているような訴求効果を奏しやすい。また、前記被配布者は前記第２の切込み１９０に係止されたメッセージカードやその他書類を任意に折畳み名刺１００から脱着させて内容確認を行うことが容易である。
本考案によれば、適宜な量の情報を効率的に記録ないし伝達する一方で、配布者および被配布者の両方での簡便・確実な名刺管理が可能となる。
以上、本考案の実施の形態について、その実施の形態に基づき具体的に説明したが、これに限定されるものではなく、その要旨を逸脱しない範囲で種々変更可能である。
【図面の簡単な説明】
【図１】本実施形態の折畳み名刺の構造例１を示す図である。
【図２】本実施形態の折畳み名刺の構造例２を示す図である。
【図３】本実施形態の折畳み名刺の構造例３を示す図である。
【図４】本実施形態の折畳み名刺の構造例４を示す図である。
【図５】本実施形態の折畳み名刺の構造例５を示す図である。
【符号の説明】
１００…折畳み名刺
１０１…折り目
１０２…紙片
１０３…距離
１１０…大領域
１１１…端部
１１５…切込み
１２０…小領域
１２１…端部
１２２…長さ
１２５…Ｒ部位
１２６…頂部
１２７…開口部
１４０…印字内容
１５０…印字領域
１６０…印字領域、メモ用領域
１６１…タイトル
１６５…付箋紙
１６６…タイトル
１７０…複写紙
１７１…複写紙の上紙
１７５…複写紙の下紙
１９０…第２の切込み
【図１】
0003116164.tif 000003
【図２】
0003116164.tif 000004
【図３】
0003116164.tif 000005
【図４】
0003116164.tif 000006
【図５】
0003116164.tif 000007